(57)【要約】  カメラ・スピーカ一体型装置について記載している。カメラ・スピーカ一体型装置は、画像を選択的に生成するレンズと、レンズに近接して配置され、可聴音を発生するスピーカアセンブリとを含む。一実施形態においては、レンズの少なくとも一部と整列された透明圧電ダイアフラムは、圧電ダイアフラムに印加される電気信号に基づいて、可聴音を発生する。別の実施形態では、スピーカアセンブリの内部にあるスピーカコイル及び磁石は、レンズの外周部を包囲し、スピーカコイルに接続され、レンズの少なくとも一部と整列された透明ダイアフラムは、スピーカコイルと磁石との相互作用に基づいて、可聴音を発生する。透明ダイアフラムを通して、カメラのレンズまで光が透過されたとき、カメラは画像を取り込む。更に、カメラ・スピーカ一体型装置は、透明ダイアフラムの光学特性を選択的に制御するコントローラを含んでもよい。【選択図】  図４
2007514368.tif 000002
【特許請求の範囲】
【請求項１】
カメラ・スピーカ一体型装置（２００）であって、
画像を選択的に取り込むレンズ（１１２）と、
レンズ（１１２）に近接して配置され、可聴音を発生するスピーカアセンブリ（２１０）とを含み、
前記スピーカアセンブリ（２１０）は、
レンズ（１１２）の外周部の少なくとも一部に沿って配置されたスピーカコイル（２１４）と、
スピーカコイル（２１４）と結合し、レンズ（１１２）の少なくとも一部に対して一直線上に配置された透明ダイアフラム（２１２）と、
を備えることを特徴とするカメラ・スピーカ一体型装置（２００）。
【請求項２】
スピーカアセンブリ（２１０）に接続され、透明ダイアフラム（２１２）の光学特性を選択的に制御するコントローラ（２４０）を更に備えることを特徴とする請求項１に記載のカメラ・スピーカ一体型装置（２００）。
【請求項３】
コントローラ（２４０）は、レンズ（１１２）に対して透明ダイアフラム（２１２）を選択的に移動することを特徴とする請求項２に記載のカメラ・スピーカ一体型装置（２００）。
【請求項４】
コントローラ（２４０）は、透明ダイアフラム（２１２）の曲率半径を選択的に変化させることを特徴とする請求項２に記載のカメラ・スピーカ一体型装置（２００）。
【請求項５】
透明ダイアフラム（２１２）は、ポリエチレンナフタラート（ＰＥＮ）プラスチック又はポリエチレンテレフタラート（ＰＥＴ）プラスチックから形成されることを特徴とする請求項１に記載のカメラ・スピーカ一体型装置（２００）。
【請求項６】
透明ダイアフラム（２１２）は、１０μｍ〜５０μｍの厚さを有する透明材料から形成されることを特徴とする請求項１に記載のカメラ・スピーカ一体型装置（２００）。
【請求項７】
透明ダイアフラム（２１２）は、約２０μｍの厚さを有する透明材料から形成されることを特徴とする請求項６に記載のカメラ・スピーカ一体型装置（２００）。
【請求項８】
カメラ・スピーカ一体型装置（２００）は、モバイルデバイス（１００）の内部に配置されることを特徴とする請求項１に記載のカメラ・スピーカ一体型装置（２００）。
【請求項９】
モバイルデバイス（１００）は、携帯電話であることを特徴とする請求項８に記載のカメラ・スピーカ一体型装置（２００）。
【請求項１０】
レンズ（１１２）を有するカメラと、透明ダイアフラム（２１２）を有するスピーカ（２１０）とを備えるカメラアセンブリによって画像を処理する画像処理方法であって、
透明ダイアフラム（２１２）をレンズ（１１２）の少なくとも一部と並べて配置する配置ステップと、
画像を処理するために、透明ダイアフラム（２１２）の光学特性を選択的に制御する制御ステップと、
を含むことを特徴とする画像処理方法。
【請求項１１】
前記制御ステップは、
画像を処理するために、レンズ（１１２）に対して透明ダイアフラム（２１２）を選択的に移動するステップを含むことを特徴とする請求項１０に記載の画像処理方法。
【請求項１２】
前記制御ステップは、
画像を処理するために、透明ダイアフラム（２１２）の曲率半径を選択的に変化させるステップを含むことを特徴とする請求項１０に記載の画像処理方法。
【請求項１３】
前記配置ステップは、
ポリエチレンナフタラート（ＰＥＮ）プラスチック、ポリエチレンテレフタラート（ＰＥＴ）プラスチック又は圧電材料をレンズ（１１２）の少なくとも一部と並べて配置するステップを含むことを特徴とする請求項１０に記載の画像処理方法。
【請求項１４】
前記制御ステップは、
画像を処理するため、透明ダイアフラム（２１２）に所定の制御信号を印加するステップを含むことを特徴とする請求項１０に記載の画像処理方法。
【請求項１５】
画像を選択的に取り込むレンズ（１１２）と、
レンズ（１１２）の少なくとも一部と整列される透明ダイアフラム（２１２）を備えるスピーカ（２１０）と、
透明ダイアフラム（２１２）が画像を更に処理することを可能にするために、透明ダイアフラム（２１２）の光学特性を選択的に制御するコントローラ（２４０）と、
を備えることを特徴とするカメラアセンブリ（１１０）。
【請求項１６】
スピーカ（２１０）は、スピーカコイル（２１４）を更に具備し、スピーカコイル（２１４）は、レンズの周囲の少なくとも一部に沿って配置され、透明ダイアフラム（２１２）に接続され、透明ダイアフラムにより発生されるべき可聴信号を発生することを特徴とする請求項１５に記載のカメラアセンブリ（１１０）。
【請求項１７】
コントローラ（２４０）は、透明ダイアフラム（２１２）が画像を更に処理することを可能にするために、レンズに対して透明ダイアフラム（２１２）を選択的に移動することを特徴とする請求項１５に記載のカメラアセンブリ（１１０）。
【請求項１８】
コントローラ（２４０）は、透明ダイアフラム（２１２）の曲率半径を選択的に変化させることにより、透明ダイアフラム（２１２）の光学特性を選択的に制御することを特徴とする請求項１５に記載のカメラアセンブリ（１１０）。
【請求項１９】
透明ダイアフラム（２１２）は、ポリエチレンナフタラート（ＰＥＮ）プラスチック、ポリエチレンテレフタラート（ＰＥＴ）プラスチック又は圧電材料から形成されることを特徴とする請求項１５に記載のカメラアセンブリ（１１０）。
【請求項２０】
透明ダイアフラム（２１２）は、１０μｍ〜５０μｍの厚さを有する透明材料から形成されることを特徴とする請求項１５に記載のカメラアセンブリ（１１０）。
【請求項２１】
透明ダイアフラム（２１２）は、約２０μｍの厚さを有する透明材料から形成されることを特徴とする請求項２０に記載のカメラアセンブリ（１１０）。
【請求項２２】
レンズ（１１２）及びスピーカ（２１０）の少なくとも一部にわたって配置された保護パネル（２２０）を更に備えることを特徴とする請求項１５に記載のカメラアセンブリ（１１０）。
【請求項２３】
保護パネル（２２０）は、レンズ（１１２）及びスピーカ（２１０）の少なくとも一部にわたって永久的に配置された透明材料から形成されることを特徴とする請求項２２に記載のカメラアセンブリ（１１０）。
【請求項２４】
保護パネル（２２０）は、第１の位置でカメラアセンブリ（１１０）の少なくとも一部を被覆し、第２の位置でカメラアセンブリ（１１０）の少なくとも一部を露出させる移動自在のパネル（１８８）を備えることを特徴とする請求項２２に記載のカメラアセンブリ（１１０）。
【請求項２５】
保護パネル（２２０）は、カメラアセンブリ（１１０）に摺動自在に結合され、第１の位置と第２の位置との間で移動自在である剛性パネル（１８８）を備えることを特徴とする請求項２４に記載のカメラアセンブリ（１１０）。
【請求項２６】
カメラアセンブリ（１１０）は、モバイルデバイス（１００）の内部に配置されることを特徴とする請求項１５に記載のカメラアセンブリ（１１０）。
【請求項２７】
モバイルデバイス（１００）は、携帯電話であることを特徴とする請求項２６に記載のカメラアセンブリ（１１０）。
【請求項２８】
カメラ（１１０）によって画像を取り込む撮像方法であって、スピーカ（２１０）の透明ダイアフラム（２１２）を通して、カメラ（１１０）の隣接するレンズ（１１２）まで光を透過する透過ステップを含むことを特徴とする撮像方法。
【請求項２９】
スピーカコントローラ（２４０）によって、カメラ（１１０）の光学特性を選択的に制御する制御ステップを更に含むことを特徴とする請求項２８に記載の撮像方法。
【請求項３０】
前記制御ステップは、スピーカコントローラ（２４０）からスピーカ（２１０）に制御信号を印加することにより、レンズ（１１２）に対して透明ダイアフラム（２１２）を移動するステップを含むことを特徴とする請求項２９に記載の撮像方法。
【請求項３１】
前記制御ステップは、スピーカコントローラ（２４０）からスピーカ（２１０）に制御信号を印加することにより、透明ダイアフラム（２１２）の曲率半径を選択的に変化させるステップを含むことを特徴とする請求項２９に記載の撮像方法。
【請求項３２】
前記透過ステップは、ポリエチレンナフタラート（ＰＥＮ）プラスチック、ポリエチレンテレフタラート（ＰＥＴ）プラスチック又は圧電材料を通して光を透過するステップを含むことを特徴とする請求項２８に記載の撮像方法。
【発明の詳細な説明】
【技術分野】
【０００１】
本発明は、モバイルデバイスの寸法を小さくするために１つ以上の内部構成要素を組み合わせた携帯電話などのモバイルデバイスに関し、特に、カメラとスピーカの機能を１つの場所に組み合わせたモバイルデバイスに関する。
【背景技術】
【０００２】
この１０年間に、携帯電話、ポータブルデジタルアシスタント（ＰＤＡ）、ＭＰ３プレイヤーなどのモバイルデバイスは急激に普及した。この急激な普及の理由の１つは、メーカーがモバイルデバイスに新たな機能を追加し続け、それにより、多様な消費者にとって、モバイルデバイスが機能性と魅力を更に増したことである。もう１つの理由は、モバイルデバイスが小型で持ち運びしやすいことである。大型で且つ／又は単純な装置と比較して、多数の機能を備えたより小型のモバイルデバイスに対する需要ははるかに多くなるため、メーカーは、多機能モバイルデバイスの大きさを更に縮小するための新たな方法を開発することに、毎年、相当に多額の資本を投じている。
【発明の開示】
【発明が解決しようとする課題】
【０００３】
しかし、新たな機能を付け加えるという目標は、多くの場合、小型化という目標と相容れない。
【課題を解決するための手段】
【０００４】
本発明は、カメラ・スピーカ一体型装置を説明する。カメラ・スピーカ一体型装置は、画像を選択的に取り込み、処理するレンズと、レンズに近接して配置され、可聴音を発生するスピーカとを含む。スピーカは、レンズの少なくとも一部と整列された透明ダイアフラムを含む。いくつかの実施形態においては、スピーカは、スピーカコイルを更に含む。スピーカコイルは、透明ダイアフラムに接続され、レンズの周囲の少なくとも一部に沿って配置される。スピーカは、透明ダイアフラムの光学特性を選択的に制御するコントローラを更に含んでもよい。
【０００５】
本発明の一実施形態によれば、スピーカの透明ダイアフラムを通して、カメラの隣接するレンズまで光が透過されたとき、カメラにより画像が取り込まれる。更に、スピーカコントローラは、画像を更に処理するために、カメラの光学特性を選択的に制御してもよい。
【発明を実施するための最良の形態】
【０００６】
以下に、カメラ・スピーカ一体型アセンブリを説明する。実施形態において、本発明のカメラ・スピーカ一体型アセンブリは、モバイルデバイスの内部に配置される。本発明と共に利用されるモバイルデバイスは、カメラを含む周知の移動通信装置又は携帯電子装置のいずれであってもよい。そのようなモバイルデバイスには、携帯電話、パーソナルデータアシスタント（ＰＤＡ）、パーソナルコミュニケーションサービス（ＰＣＳ）装置、パームトップコンピュータなどが含まれるが、それらに限定されない。
【０００７】
図１及び図２は、本発明によるモバイルデバイスの一例を示す。図示されるモバイルデバイスは、携帯電話とカメラを同一の物理的パッケージに組み合わせたもので、ここでは、カメラ付き携帯電話１００と呼ばれる。しかし、本発明は、カメラ付き携帯電話に限定されず、先に述べたように、カメラを内蔵する他のモバイルデバイスにおいて実現されてもよい。
【０００８】
カメラ付き携帯電話１００は、正面部１８２、背面部１８６（図３）及び正面部１８２を背面部１８６に結合する外側縁部１８４を有するハウジング１８０を含む。図１に示されるように、ハウジング１８０の正面部１８２には、キーパッド１６２、ディスプレイ１６４、一次スピーカ１６８の出力ポート及びマイクロホン１６６の入力ポートが配置され、これらの構成要素は、以下に更に説明されるように動作する。
【０００９】
図２に示されるカメラ付き携帯電話１００のブロック図は、カメラ付き携帯電話１００の一例の機能要素を示す。カメラ付き携帯電話１００は、カメラ１１０、カメラインタフェース１２４及び通信回路１４０を備える。通信回路１４０は、トランシーバ１４２、メモリ１４４、マイクロプロセッサ１５２、入出力回路１５４、音声処理回路１５６及びユーザインタフェース１６０を備える。トランシーバ１４２は、信号を送受信するためのアンテナ１３０に結合された全機能セルラ無線トランシーバである。トランシーバ１４２が、Global System for Mobile Communications（GSM）、Universal Mobile Telecommunication System（UMTS）、TIA/EIA-136、Code Division Multiple Access（CDMA）、cdmaOne、cdma2000及びWideband CDMAを含めた周知のどのような規格に従って動作してもよいことは、当業者には理解されるであろう。
【００１０】
メモリ１４４は、モバイルデバイスにおけるメモリの全階層を表現し、ランダムアクセスメモリ（ＲＡＭ）及び読み取り専用メモリ（ＲＯＭ）の双方を含んでもよい。動作に必要とされるコンピュータプログラム命令及びデータは、ＥＰＲＯＭ、ＥＥＰＲＯＭ及び／又はフラッシュメモリなどの不揮発性メモリに格納される。それらのメモリは、別個の装置又はスタック装置として実現されてもよいが、マイクロプロセッサ１５２と一体化されてもよい。マイクロプロセッサ１５２、入出力回路１５４、音声処理回路１５６及び／又はメモリ１４４は、特別に設計された特定アプリケーション向け集積回路（ＡＳＩＣ）１５０に組み込まれてもよい。
【００１１】
マイクロプロセッサ１５２は、メモリ１４４に格納されたプログラムに従って、カメラ付き携帯電話１００の動作を制御する。制御機能は、マイクロプロセッサ１５２において実現されてもよく、マイクロプロセッサ１５２は、単一のマイクロプロセッサであってもよいし、あるいは複数のマイクロプロセッサであってもよい。適切なマイクロプロセッサは、例えば、汎用マイクロプロセッサ及び専用マイクロプロセッサの双方並びにデジタルシグナルプロセッサを含んでもよい。
【００１２】
入出力回路１５４は、マイクロプロセッサ１５２、トランシーバ１４２、音声処理回路１５６及び通信回路１４０のユーザインタフェース１６０とインタフェースする。更に、入出力回路１５４は、カメラインタフェース１２４を介して、マイクロプロセッサ１５２をカメラ１１０とインタフェースする。カメラインタフェース１２４は、更に、当該技術において知られている何らかの方法に従って、カメラ１１０をユーザインタフェース１６０とインタフェースしてもよい。図１では、カメラインタフェース１２４は、別個の構成要素として示されるが、カメラ１２４が入出力回路１５４と一体化されてもよいことは理解されるであろう。
【００１３】
ユーザインタフェース１６０は、キーパッド１６２、ディスプレイ１６４、マイクロホン１６６及び一次スピーカ１６８を含む。キーパッド１６２は、図１に示されるように、カメラ付き携帯電話１００の片面に配置される。キーパッド１６２は英数字キーパッドを含み、オプションとして、当該技術ではよく知られているようなジョイスティックコントロールなどのナビゲーションコントロールを含む。オペレータは、キーパッド１６２を使用して、電話番号及びコマンドを入力し、オプションを選択することができる。オペレータは、ディスプレイ１６４で、入力した数字、画像、呼び出し状態、メニューオプション及び他のサービス情報を見ることができる。マイクロホン１６６は、音声信号を可聴電気信号に変換し、一次スピーカ１６８は、音声信号をカメラ付き携帯電話１００から発生される可聴音に変換する。音声処理回路１５６は、一次スピーカ１６８にアナログ音声出力信号を供給し、マイクロホン１６６からアナログ音声入力を受信する。
【００１４】
次に、図２のカメラ１１０を参照すると、カメラ１１０は、カメラインタフェース１２４を介して通信回路１４０とインタフェースする。カメラ１１０は、レンズ１１２、イメージセンサ１１４、イメージプロセッサ１１６及びレンズ制御部１１８を含む。１つ以上のレンズから構成されるレンズ部１１２は、レンズ制御部１１８からの制御信号に基づいて画像を取り込み、イメージセンサ１１４に集束することにより画像を生成する。レンズ制御部１１８は、当該技術において知られている手段に従って、レンズ１１２の焦点、ズーム、シャッタ速度などの光学特性を制御する。イメージセンサ１１４は、レンズ１１２により形成された画像を取り込む。イメージセンサ１１４は、電荷結合デバイス（ＣＣＤ）、相補形金属酸化物半導体（ＣＭＯＳ）イメージセンサなどの従来のイメージセンサのうちのいずれかであればよい。
【００１５】
イメージプロセッサ１１６は、イメージセンサ１１４により取り込まれた生画像データを処理し、画像データは、その後、メモリ１１４に格納され、ディスプレイ１６４へ出力され且つ／又は通信回路１４０により遠端ユーザへ送信される。イメージプロセッサ１１６は、例えば、当該技術において知られているように、画像データを処理するようにプログラムされた従来のデジタルシグナルプロセッサであってもよい。
【００１６】
実施形態によれば、カメラ１１０は、二次スピーカ１２０を更に含んでもよい。二次スピーカ１２０は、高レベル音声及び／又は通知信号、すなわち、ベル音又は警報などの可聴信号をカメラ付き携帯電話１００から発生する。そのような可聴信号は、音声処理回路１５６によりカメラインタフェース１２４を介して供給される。以下に更に説明されるように、カメラ付き携帯電話１００の内部スペースを節約するために、二次スピーカはカメラ１１０の内部に組み込まれる。図２は、一次スピーカ１６８と二次スピーカ１２０を２つの別個のスピーカとして示すが、一次スピーカ１６８及び二次スピーカ１２０が単一のスピーカとして組み合わされてもよいことは、当業者には理解されるであろう。
以下に更に説明されるように、余分なスペースを必要とせずにレンズ１１２を補助するために、カメラ１１０は、二次スピーカ１２０の光学特性を制御するスピーカ制御部１２２を更に含んでもよい。図２は、レンズ制御部１１８とスピーカ制御部１２２を別個の制御装置として示すが、それらのコントローラが単一の制御装置として組み合わされてもよいこと及び／又はそれらのコントローラがカメラインタフェース１２４と一体化されてもよいことは、当業者には理解されるであろう。
【００１７】
次に図３及び図４を参照すると、カメラ付き携帯電話１００の一例の背面１８６が示される。カメラ付き携帯電話１００の背面１８６は、カメラ付き携帯電話１００のカメラ‐スピーカアセンブリ２００（図４及び図５）を保護し且つ／又は起動するための摺動自在のパネル１８８を含んでもよい。カメラ付き携帯電話１００が通信装置として動作する場合、パネル１８８は、カメラ‐スピーカアセンブリ２００の要素を保護するために、閉鎖位置（図３）にあることが最も多い。図３に示されるように、パネル１８８は、パネル１８８が閉じているときに、スピーカアセンブリ２１０からの音声をカメラ付き携帯電話１００から発生させるための複数の開口部１９０を含んでもよい。パネル１８８が、カメラ‐スピーカアセンブリ２００を保護するための手段の１つを表しているにすぎないことは、当業者には理解されるであろう。当該技術において知られている他の方法が使用されてもよく、それらの方法には、フリップパネル、永久透明カバーなどが含まれる。
【００１８】
図４に示されるように、パネル１８８を開放すると、カメラ‐スピーカアセンブリ２００及びオプションであるフラッシュ２０２が露出される。一般に、カメラ‐スピーカアセンブリ２００は、カメラとスピーカの組み合わせを表し、スピーカアセンブリ２１０、カメラ２３０（図５を参照）及びオプションである保護板２２０を備える。パネル１８８が開放されているとき、カメラ‐スピーカアセンブリ２００は、当該技術において知られている何らかの方法に従って、画像を処理し且つ／又は画像をディスプレイ１６４に表示するために使用されてもよい。更に、カメラ‐スピーカアセンブリ２００は、フラッシュ２０２と協働して、当該技術において知られている何らかの方法に従って、画像を取り込み、それらの画像をメモリ１４４に格納するために使用されてもよい。
【００１９】
次に、図５を参照して、カメラ‐スピーカアセンブリ２００を更に詳細に説明する。図５は、図４のカメラ‐スピーカアセンブリ２００の一例の横断面図を示す。先に述べた通り、カメラ‐スピーカアセンブリ２００は、スピーカアセンブリ２１０、カメラ２３０及びオプションである保護板２２０を備える。前述のように、カメラ２３０は、レンズハウジング２３２に収納されたレンズ１１２と、レンズ制御部１１８（図示せず）と、イメージセンサ１１４（図示せず）と、イメージプロセッサ１１６（図示せず）とを含む。
【００２０】
通常二次スピーカ１２０に対応するスピーカアセンブリ２１０は、スピーカ磁石２１６に近接してスピーカコイル２１４を含む。図４に示されるように、スピーカコイル２１４は、ほぼ円形の形状を有する。スピーカ磁石２１６もほぼ円形の形状を有し、スピーカコイル２１４に近接して配置される。更に、スピーカコイル２１４及び磁石２１６の円形の形状は、スピーカコイル２１４及び磁石２１６の境界の内側に、内側開口部を規定する。図４〜図６は、スピーカコイル２１４の内側にスピーカ磁石２１６が配置された構成を示すが、スピーカ磁石２１６がスピーカコイル２１４の外周部に沿って配置されてもよいことは、当業者には理解されるであろう。
【００２１】
スピーカコイル２１４に結合された透明ダイアフラム２１２は、スピーカコイル２１４及び磁石２１６により規定される開口部の少なくとも一部を覆う。ここで使用される用語「透明」は、その向こう側に位置する画像を鮮明に見ることができるように、所望の波長範囲内の光を、感知可能な散乱なく透過可能であるものとして定義される。ダイアフラム２１２は、ポリエチレンナフタラート（ＰＥＮ）又はポリエチレンテレフタラート（ＰＥＴ）などの薄く、可撓性であり且つ／又は透明な材料から形成され、その厚さは、１０μｍ〜５０μｍである。実施形態においては、ダイアフラム２１２の厚さは、約２０μｍである。
【００２２】
当業者には理解されるであろうが、スピーカコイル２１４と磁石２１６との間の相互ゆらぎ作用によって、ダイアフラム２１２は振動し、可聴音を発生する。ダイアフラム２１２が動く速度は、発生される音波の周波数を規定し、ダイアフラム２１２が動く距離は、音波の振幅を規定する。本発明においては、音波は、透明ダイアフラム２１２からハウジング１８０の開口部２２２を経て発生される。更に、図３に示されるように、パネル１８８が閉鎖位置にある場合であっても、スピーカアセンブリ２１０により発生された音波をカメラ付き携帯電話から発生できるようにするために、前述のように、保護パネル１８８は、追加の開口部１９０を更に含んでもよい。
【００２３】
別の実施形態においては、スピーカアセンブリ２１０は、透明圧電材料から製造されたダイアフラム２１２を具備してもよい。圧電ダイアフラムは、例えば、市販のポリエチレンジエポキシプロピルエーテル（ＰＥＧＤＥ）と、硫酸マグネシウムなどの塩との混合物から製造されてもよい。この種のスピーカアセンブリ２１０の場合、圧電材料に直接に印加された電圧により、ダイアフラムは振動し、可聴音を発生する。従って、透明圧電ダイアフラムを有するスピーカアセンブリ２１０は、通常、スピーカコイル２１４又はスピーカ磁石２１６を必要としない。
【００２４】
カメラ‐スピーカアセンブリ２００のレンズハウジング２３２をレンズ１１２の一部とほぼ整列できるようにするために、本発明のスピーカアセンブリ２１０は、通常、透明ダイアフラム２１２の背後に開放構造を有する。スピーカコイル２１４及び磁石２１６を含む実施形態の場合、レンズハウジング２３２は、スピーカコイル２１４及び磁石２１６により規定される開口部の中に嵌合してもよい。その結果、スピーカコイル２１４及び磁石２１６は、レンズハウジング２３２の周囲に沿って配置され、ダイアフラム２１２は、レンズハウジング２３２の少なくとも一部を覆うので、ダイアフラム２１２は、レンズ１１２とほぼ整列される。いずれにしても、そのような構造のカメラ‐スピーカアセンブリ２００においては、カメラ２３０及びスピーカ２１０は、同一のスペースに収納されるように制限される。従って、カメラ付き形態電話１００に必要とされるスペースは、全体として縮小される。
【００２５】
先に述べた通り、ダイアフラム２１２は、薄く、透明な可撓性材料から形成される。そのような材料は、光学特性を有してもよい。図６は、本発明の別の実施形態を示す。この実施形態は、カメラ２３０の機能性を更に向上するために、それらの光学特性を利用する。図６に示される別の実施形態は、前述のカメラ‐スピーカアセンブリ２００の要素に加えて、スピーカ制御部２４０を備える。スピーカ制御部２４０は、スピーカ２１０の１つ以上の光学特性を選択的に制御する。その結果、スピーカ２１０、特に、ダイアフラム２１２は、カメラ２３０により取り込まれている画像を更に処理することにより、カメラ２３０の機能性を更に向上できるであろう。
【００２６】
一実施形態においては、ダイアフラム２１２の１つ以上の光学特性を制御するために、スピーカ制御部２４０は、スピーカ２１０に電流を印加してもよい。それらの光学特性には、ダイアフラム２１２の曲率半径及び／又はダイアフラム２１２とレンズ１１２との相対距離が含まれるが、それに限定されない。当業者には知られているように、例えば、前述の圧電ダイアフラムのようなダイアフラム２１２は、事前に規定された曲率半径を有してもよい。その結果、ダイアフラム２１２は、レンズ１１２と協働する追加レンズとして動作し、画像を処理する。スピーカ制御部２４０からスピーカ２１０に制御信号が印加されると、ダイアフラム２１２は伸張又は弛緩し、それにより、曲率半径が変化する。当業者には理解されるであろうが、曲率半径が変化することにより、ダイアフラム２１２の光学特性が変化する。従って、ダイアフラム２１２とレンズ１１２の組み合わせ全体の光学特性も変化する。また、当業者には理解されるように、光学特性全体に加えられる変化の量は、一般に、ダイアフラム２１２の屈折率によって決まる。
【００２７】
別の例においては、スピーカ２１０は、レンズ１１２に対してスピーカアセンブリ２１０を移動するためのモータ（図示せず）及び軌道、レール又は他の手段（図示せず）を含んでもよい。スピーカアセンブリ２１０に制御信号が印加されると、モータが起動され、それにより、ダイアフラム２１２は、軌道又はレールに沿ってレンズ１１２に接近する（又はレンズ１１２から離間する）。当業者には理解されるであろうが、この相対運動の結果、ダイアフラム２１２とレンズ１１２の組み合わせ全体の光学特性は、更に変化する。
【００２８】
上記の例は、カメラ２００の光学特性を制御する２つの方法を示す。しかし、それらの例は、単に例示を目的として提供されたにすぎず、本発明が、それら２つの例に限定されないことは、当業者には理解されるであろう。
【００２９】
ダイアフラム２１２は、薄く、もろいという特性を持ち、更に、カメラレンズは損傷しやすいため、カメラ付き携帯電話１００は、スピーカ２１０及びレンズハウジング２３２の少なくとも一部を覆うように配置された永久保護カバー２２０を更に含んでもよい。カバー２２０は、塵芥、指などの外因により引き起こされる損傷からカメラ２３０のダイアフラム２１２及びレンズ１１２を保護する透明プラスチックなどの透明材料から形成される。更に、カバー２２０は、通常、剛性材料から形成される。カメラ付き携帯電話１００の数多くの実施形態は、保護カバー２２０を含むであろうが、本発明において、そのようなカバー２２０が不可欠ではないことは理解されるであろう。更に、保護カバー２２０の曲率半径及び屈折率によっては、保護カバー２２０が、カメラ２３０の光学特性に影響を及ぼす場合もあることも理解されるであろう。
【００３０】
要するに、本発明は、携帯電話のようなモバイルデバイスの内部の所定の空間の範囲内で共に動作するカメラとスピーカの組み合わせを提供する。スピーカ２１０及びカメラ２３０は、共に同一の空間を利用するので、モバイルデバイスの内部の貴重なスペースは節約される。更に、本発明のいくつかの実施形態は、レンズ１１２の機能性を更に向上するためにレンズ１１２と協働する光学的能動ダイアフラム２１２を有するスピーカ２１０を含んでもよい。
【００３１】
本発明の本質的特徴から逸脱せずに、ここで特定して記載された方法以外の方法で本発明が実施されてもよいことは言うまでもない。ここで提示された実施形態は、あらゆる点において、単なる例示であり、限定的な意味を持たないとみなされるべきであり、添付の請求の範囲の意味及び等価性の範囲内に入る全ての変更は、本発明の範囲内に包含されることが意図される。
【図面の簡単な説明】
【００３２】
【図１】正面から見たカメラ付き携帯電話の一例の斜視図である。
【図２】本発明によるモバイルデバイスのブロック図である。
【図３】背後から見た摺動自在の背面パネルを有するカメラ付き携帯電話の一例の斜視図である。
【図４】摺動自在の背面パネルを開放した状態の図３のカメラ付き携帯電話の一例を示す斜視図である。
【図５】本発明によるカメラ‐スピーカアセンブリの一例の横断面の詳細を示す図である。
【図６】本発明によるカメラ‐スピーカアセンブリの別の例の横断面の詳細を示す図である。
【符号の説明】
【００３３】
１１４：イメージセンサ
１１６：イメージプロセッサ
１１８：レンズ制御部
１２０：二次スピーカ
１２２：スピーカ制御部
１２４：カメラインタフェース
１４２：トランシーバ
１４４：メモリ
１５２：マイクロプロセッサ
１５６：音声処理回路
１６２：キーパッド
１６４：ディスプレイ
２４０：スピーカ制御部
【図１】
2007514368.tif 000003
【図２】
2007514368.tif 000004
【図３】
2007514368.tif 000005
【図４】
2007514368.tif 000006
【図５】
2007514368.tif 000007
【図６】
2007514368.tif 000008
【国際調査報告】
2007514368.tif 000009
2007514368.tif 000010